(57)【特許請求の範囲】
【請求項１】
用紙（Ｓ）をストックする給紙台（６）と、該給紙台（６）上の用紙（Ｓ）の先端エッジ（Ｓ1）を受け止めて用紙のストック位置を規制する用紙突き当て規制板（４）と、給紙台（６）の先端部上方に位置して、最上用紙を一枚ずつ前方に送り出す給紙ローラ（１ａ、１ｂ、１ｃ）と、該給紙ローラに下方より当接する用紙サバキ台（７）と、給紙ローラ（１ａ）とサバキ台（７）との間から送り出される用紙を前方に案内する用紙スライド板（３）と、を備え、用紙スライド板（３）は、用紙サバキ台（７）が給紙ローラ（１ａ）に臨む第１開口（８ａ）を備え、用紙突き当て規制板（４）は、第１開口（８ａ）に連接する第２開口（８ｂ）をその上端エッジ（４ａ）に備えてなる給紙装置において、
用紙突き当て規制板（４）の第２開口（８ｂ）を着脱自在に塞ぐ補助ガイド片（１０）をストック用紙側に設け、
上記補助ガイド片（１０）は、フィルム状樹脂製可撓薄片で形成されると共に、用紙突き当て規制板（４）の第２開口（８ｂ）を塞ぐ基部面（１０ｂ）と、該基部面（１０ｂ）の上端に連接し、かつ、くの字状に用紙サバキ台（７）側へ折曲して上記用紙サバキ台（７）のストック用紙側を上方から覆う傾斜ガイド面（１０ａ）とで構成され、
上記傾斜ガイド面（１０ａ）は、用紙突き当て規制板（４）及びサバキ台（７）から浮いており、
上記基部面（１０ｂ）は、上記用紙突き当て規制板（４）に両面接着テープで着脱自在に貼着したことを特徴とする給紙装置。
【請求項２】
用紙（Ｓ）をストックする１以上の用紙カセット（２０）と、各用紙カセット（２０）の先端部上方に位置して、最上用紙を一枚ずつ前方に送り出す給紙ローラ（２３）と、該給紙ローラに下方より当接する用紙サバキ台（７）と、給紙ローラ（２３）とサバキ台（７）との間から送り出される用紙を前方に案内する用紙スライド板（２２）と、を備え、用紙カセット（２０）は、用紙（Ｓ）の先端エッジを受け止めて用紙のストック位置を規制する前壁（２０ａ）を備え、用紙スライド板（２２）は、用紙サバキ台（７）が給紙ローラ（２３）に臨むサバキ台設置開口（８）を備えてなる給紙装置において、
上記サバキ台（７）は、上記サバキ台設置開口（８）より給紙ローラ（２３）側に突出しており、
上記用紙カセット前壁（２０ａ）に、給紙される用紙を上記サバキ台（７）上に案内する補助ガイド片（１０）を設け、
上記補助ガイド片（１０）は、フィルム状樹脂製可撓薄片で形成されると共に、上記用紙カセット（２０）の前壁（２０ａ）に固定される基部面（１０ｂ）と、該基部面（１０ｂ）の上端に連接し、かつ、くの字状に用紙サバキ台（７）側へ折曲して上記用紙サバキ台（７）のストック用紙側を上方から覆う傾斜ガイド面（１０ａ）とで構成され、
上記傾斜ガイド面（１０ａ）は、上記用紙カセット（２０）の前壁（２０ａ）及び上記サバキ台（７）から浮いており、
上記補助ガイド片（１０）の基部面（１０ｂ）は、上記用紙カセット（２０）の前壁（２０ａ）に両面接着テープで着脱自在に貼着したことを特徴とする給紙装置。
【請求項３】
上記補助ガイド片（１０）の上記傾斜ガイド面（１０ａ）は、上記用紙サバキ台（７）の横幅より大きい横幅寸法を有することを特徴とする請求項１又は２に記載の給紙装置。
【発明の詳細な説明】
【０００１】
【発明の属する技術分野】
本発明は、印刷機（孔版印刷機を含む）や複写機等に採用されている給紙装置の改良に関し、詳しくは、給紙ローラ付近における給紙ジャムを防止するための改良を加えた新規な構成の給紙装置に関する。本発明に係る給紙装置には、給紙台固定タイプのものと、用紙カセットタイプのものが含まれる。
【０００２】
【従来の技術】
この種の給紙装置は、一般に、給紙ローラによる用紙の重送（用紙を一度に二枚以上重ねて送ること）を防止するために、サバキ台を給紙ローラに隣接して備えている。
【０００３】
図１及び図２に、サバキ台を備えた給紙装置の一例を図示している。ここに示した給紙装置は、給紙台が一つである給紙台固定タイプのものである。図において、１ａ、１ｂ、１ｃは回転駆動軸２により駆動される給紙ローラ、６は用紙をストックする給紙台、４は給紙台６上の用紙の先端エッジＳ1を当て止めるための垂直方向用紙突き当て規制板、３は規制板４と一体的に構成されて、給紙ローラにより送られる用紙をその前方へ案内する用紙スライド板、５は用紙突き当て規制板４に沿って複数個所定間隔で並べられた用紙突き当てガイド、９は給紙台６より上方に出没自在に突出している用紙検出スイッチである。
【０００４】
用紙スライド板４と用紙突き当て規制板３には、サバキ台７を配置するための開口８を切り欠き形成している。サバキ台７は、支持台７ｂの上面に摩擦シート７ａを固定してなるものであり、用紙スライド板４の側の開口８ａを介して下方から中央の給紙ローラ１ａに向けて当接すべく臨んでいる。規制板４の側の開口８ｂは、保守点検のため、用紙ストック側からさばき台７にアクセスするために必要とされるものである。したがって、図１に示されるように、ストック用紙側から見れば、規制板４の開口８ｂの部分は、規制板４の上端エッジ４ａより下側に窪んでいることになる。
【０００５】
上記構成の給紙装置においては、開口８ｂの部分が給紙ジャムの一つの原因となっている。このジャム現象を図２に従って説明する。図２に示すように、用紙Ｓは必ずしも全てが平坦ではなく、用紙自体のカール癖のため、図示のように、用紙Ｓの中央部が下に湾曲することがある。この場合、用紙の当該中央部が開口８ｂに落ち込み、その結果、サバキ台７に引っ掛かることがある。その状態で、３つの給紙ローラ１ａ、１ｂ、１ｃが用紙を給送すると、そこに給紙ジャムが発生するのである。
【０００６】
図１及び図２に示したものは、給紙台が１つであって、用紙のサイズが変わるごとに、給紙台上の用紙を置き換える所謂給紙台固定タイプの装置である。しかし、上記した給紙ジャムの問題は、用紙カセットタイプのものにおいても生じる。用紙カセットタイプの装置は、周知のように、異なるサイズの用紙を収納する複数個のカセットを印刷機等の本体に着脱自在に設定できるようになっている。このタイプの給紙装置においても、図１及び図２に示したのと同様に、給紙ローラとサバキ台との間にカセット内の用紙を一枚ずつ送り込む構成となっている。用紙カセット自体には、前記した第１開口８ａに相当する開口を用紙カセットの前壁に敢えて設ける必要はない。従って、この場合には、開口に起因する給紙ジャムは生じない。しかし、カセットは印刷機等の本体に対して着脱する構成となっている関係で、セットされる用紙カセットの前壁とサバキ台との間の距離を広めに設計する必要がある。このため、用紙カセットの前壁とサバキ台との間の隙間において、用紙の先端エッジが下方よりの支持を失い、その結果湾曲し易くなり、それが原因で、図２で説明したのと同様の給紙ジャムが起こることがある。
【０００７】
【発明が解決しようとする課題】
したがって、本発明の解決すべき第１の技術的課題は、この種の従来装置において、用紙ストック側からさばき台７へのアクセスに支障を来たすことなく、かつ、第２開口８ａに起因する用紙の引っ掛かりを防止することである。
本発明の第２の技術的課題は、用紙カセットタイプの給紙装置において、カセットの前壁とサバキ台との間の隙間に起因する用紙の引っ掛かりを防止することである。
【０００８】
【課題を解決するための手段・作用・効果】
上記課題を解決するために、本発明によれば、以下の構成を有する給紙台固定タイプの給紙装置が提供される。
すなわち、用紙（Ｓ）をストックする給紙台（６）と、該給紙台（６）上の用紙（Ｓ）の先端エッジ（Ｓ1）を受け止めて用紙のストック位置を規制する用紙突き当て規制板（４）と、給紙台（６）の先端部上方に位置して、最上用紙を一枚ずつ前方に送り出す給紙ローラ（１ａ、１ｂ、１ｃ）と、該給紙ローラに下方より当接する用紙サバキ台（７）と、給紙ローラ（１ａ）とサバキ台（７）との間から送り出される用紙を前方に案内する用紙スライド板（３）と、を備え、用紙スライド板（３）は、用紙サバキ台（７）が給紙ローラ（１ａ）に臨む第１開口（８ａ）を備え、用紙突き当て規制板（４）は、第１開口（８ａ）に連接する第２開口（８ｂ）をその上端エッジ（４ａ）に備えてなる給紙装置において、用紙突き当て規制板（４）の第２開口（８ｂ）を着脱自在に塞ぐ補助ガイド片（１０）をストック用紙側に設け、上記補助ガイド片（１０）は、フィルム状樹脂製可撓薄片で形成されると共に、用紙突き当て規制板（４）の第２開口（８ｂ）を塞ぐ基部面（１０ｂ）と、該基部面（１０ｂ）の上端に連接し、かつ、くの字状に用紙サバキ台（７）側へ折曲して上記用紙サバキ台（７）のストック用紙側を上方から覆う傾斜ガイド面（１０ａ）とで構成され、上記傾斜ガイド面（１０ａ）は、用紙突き当て規制板（４）及びサバキ台（７）から浮いており、上記基部面（１０ｂ）は、上記用紙突き当て規制板（４）に両面接着テープで着脱自在に貼着している。
【０００９】
上記構成によれば、仮令、用紙にカール癖があったとしても、補助ガイド片が存在するため、これのガイド作用により、用紙スライド板に沿って前方に送られるので、サバキ台の保守点検用に形成された第２開口に用紙の先端部エッジが引っ掛かることが効果的に防止される。
そして、サバキ台を保守点検するときには、補助ガイド片を取り外すことにより、用紙突き当て規制板の第２開口を露呈させることができるので、サバキ台に容易にアクセスするとができる。
【００１０】
また、上記補助ガイド片は、用紙突き当て規制板の第２開口を塞ぐ基部面と、上記用紙サバキ台のストック用紙側を上方から覆う傾斜ガイド面とで構成されているので、用紙の先端部エッジをしてサバキ台の上に容易に乗り上げさせることができ、サバキ台に対する引っ掛かりを確実に防止することができる。
用紙の引っ掛かり防止のためには、上記補助ガイド片の上記傾斜ガイド面の横幅寸法を上記用紙サバキ台の横幅より大きい寸法とする方がよい。
【００１１】
さらに、上記補助ガイド片は、フィルム状樹脂製可撓薄片で構成され、補助ガイド片の上記傾斜ガイド面は、用紙突き当て規制板やサバキ台から若干浮いているので、送られてくる用紙の押圧作用に対して柔軟に変形しながら該用紙を前方に案内することができる。
また、上記補助ガイド片は、上記用紙突き当て規制板に対して、両面接着テープで着脱自在に貼着するので、装着も取り外しも簡単である。
【００１２】
また、本発明によれば、次の構成を有する用紙カセットタイプの給紙装置が提供される。
【００１３】
用紙（Ｓ）をストックする１以上の用紙カセット（２０）と、各用紙カセット（２０）の先端部上方に位置して、最上用紙を一枚ずつ前方に送り出す給紙ローラ（２３）と、該給紙ローラに下方より当接する用紙サバキ台（７）と、給紙ローラ（２３）とサバキ台（７）との間から送り出される用紙を前方に案内する用紙スライド板（２２）と、を備え、用紙カセット（２０）は、用紙（Ｓ）の先端エッジを受け止めて用紙のストック位置を規制する前壁（２０ａ）を備え、用紙スライド板（２２）は、用紙サバキ台（７）が給紙ローラ（２３）に臨むサバキ台設置開口（８）を備えてなる給紙装置において、上記サバキ台（７）は、上記サバキ台設置開口（８）より給紙ローラ（２３）側に突出しており、上記用紙カセット前壁（２０ａ）に、給紙される用紙を上記サバキ台（７）上に案内する補助ガイド片（１０）を設け、上記補助ガイド片（１０）は、フィルム状樹脂製可撓薄片で形成されると共に、上記用紙カセット（２０）の前壁（２０ａ）に固定される基部面（１０ｂ）と、該基部面（１０ｂ）の上端に連接し、かつ、くの字状に用紙サバキ台（７）側へ折曲して上記用紙サバキ台（７）のストック用紙側を上方から覆う傾斜ガイド面（１０ａ）とで構成され、上記傾斜ガイド面（１０ａ）は、上記用紙カセット（２０）の前壁（２０ａ）及び上記サバキ台（７）から浮いており、上記補助ガイド片（１０）の基部面（１０ｂ）は、上記用紙カセット（２０）の前壁（２０ａ）に両面接着テープで着脱自在に貼着した。
【００１４】
上記構成によれば、給紙台固定タイプの給紙装置と同様に、仮令、用紙にカール癖があったとしても、補助ガイド片が存在するため、これのガイド作用により、用紙スライド板に沿って前方に送られるので、サバキ台に用紙の先端部エッジが引っ掛かることが効果的に防止される。
【００１５】
【発明の実施の形態】
先ず、はじめに、本発明の第１の実施形態を図３〜図６に従って詳細に説明する。なお、図１及び図２に示した従来例と同一構成でかつ同一作用の部分には、同一の参照符合を付して詳細な説明を省略する。
【００１６】
図４において、給紙台６は、手前の固定部６ｂと、該固定部６ｂに傾動自在に装着した傾動部６ａとで構成している。固定部６ｂは、この給紙装置が組み込まれる印刷機等の機体に対して固定されている。固定部６ｂはその両側にトラニオン軸１２を有している。一方、可動部６ａは、これらのトラニオン軸１２を支点として、上下に回動可能に構成している。この可動部は、不図示のバネ手段により、常時、図５中上方（矢印の方向）に付勢されている。図５に示すように、この回動部６ａ上に用紙がストックされると、その厚みに応じて下降し、用紙枚数が減少するにつれて上昇する。図４中、１１は、用紙サイズに応じてスライド可能な公知のサイドガイド板である。
【００１７】
図中、１０は補助ガイド片である。この補助ガイド板は、図３及び図４に示すように、用紙突き当て規制板４の第２開口８ｂを塞ぐべく、規制板４のストック用紙側の面に両面テープで着脱自在に貼着されている。この補助ガイド片１０は、フィルム状の樹脂製可撓薄片で構成している。たとえば、0.3mm程度のポリエステル製可撓薄片が好ましい。
【００１８】
補助ガイド板１０は、規制板４の用紙ストック側面に貼着されて第２開口８ｂを塞ぐ基部面１０ｂと、該基部面に連接し、かつ、くの字上に折曲して延在する傾斜ガイド面１０ａとで構成している。図５及び図６に示すように、この補助ガイド板１０は、その傾斜ガイド面１０ａが丁度サバキ台の支持台７ａのストック用紙の側を覆うように傾斜している。傾斜ガイド面１０ａは、用紙突き当て規制板４及びサバキ台７より浮いている。また、傾斜ガイド面１０ａの横幅寸法は、図３に示すように、サバキ台の支持台７ａの横幅寸法よりも大きく構成している。
【００１９】
本実施形態に係る給紙装置の構成において、図５に示すように、用紙Ｓは給紙台６上にストックされる。用紙の先端部エッジＳ1は複数個の用紙突き当てガイド５と用紙突き当て規制板４とでその位置が規制される。最上部の用紙Ｓは給紙ロール１ａ、１ｂ、１ｃ、により前方に送られる。このとき、規制板４の第２開口８ｂは、補助ガイド片の基部面１０ｂにより塞がれているので、用紙先端部の中央部がその開口に落ち込むことはなく、用紙の先端部全体が補助ガイド片１０の傾斜ガイド面１０ｂと用紙スライド板３上をスライドしながら、前方に送られる。このとき、中央の給紙ローラ１ａとの間でサバキ台の摩擦シート７ａがサバキ作用をなすので、仮令、２枚目の用紙が送られようとしても、この摩擦シート７ａで前方移動が阻止される。
【００２０】
この補助ガイド片１０は、前記したように、非常に可撓性に富んでいるとともに、その傾斜ガイド面１０ａは周囲の部位材より浮いているので、用紙の押圧力に対して柔軟に変形しながら用紙を案内するので、用紙送りは非常にスムースである。
【００２１】
次に、用紙カセットタイプの給紙装置の実施形態について図７及び図８に従って説明する。
図７において、２０は用紙カセットである。図では１つの用紙カセットしか示していないが、通常は、代表的用紙サイズ個数の用紙カセットが印刷機等の本体に縦方向に並べて抜き差し自在にセットできるようになっている。用紙カセット２０は、深みのある前半部２０ｂと、浅い後半部２０ｃより構成している。前壁２０ａには、第１実施例の傾斜部６ａに相当する傾斜底板２５を設けている。この傾斜底板２５の後端は、軸２４を介してカセット本体に回動自在に装着している。従って、傾斜底板２５の前端は、前記傾斜部６ａと同様に、ストック用紙Ｓの減少に伴って付勢バネ（不図示）により上昇する。
【００２２】
用紙カセット２０の前壁２０ａの内面には、第１実施形態の用紙突き当てガイド５と同様のガイド５を設けている。
図中、２３は給紙ローラ、２２は用紙スライド板、８は、用紙スライド板に形成した開口、７は該開口８より突出して給紙ローラ２３に臨むサバキ台、２１は印刷機等の内部フレームの一部である。
【００２３】
用紙カセットの前壁２０ａの中央部には、第１実施形態と同一の補助ガイド片１０を固定している。補助ガイド板１０の基部面１０ｂが両面テープ等により前壁の内面に接着されている。この補助ガイド板１０は、その傾斜ガイド面１０ａが丁度サバキ台の支持台７ａのストック用紙の側を覆うように傾斜している。傾斜ガイド面１０ａは、また、用紙突き当て規制板４及びサバキ台７より浮いている。
【００２４】
用紙カセットの前壁２０ａとサバキ台７との間の隙間は、前記したように、第１実施形態に比較して、多少広くなっているが、上記構成によれば、給紙ローラ２３により給紙が行われるとき、用紙Ｓの先端エッジ全体が補助ガイド片１０の傾斜ガイド面１０ｂと用紙スライド板３上をスライドしながら前方に送られるので、用紙の先端エッジがサバキ台７に引っ掛かることが効果的に防止される。
【図面の簡単な説明】
【図１】  従来の給紙台固定タイプの給紙装置の一例を示す、正面斜め上方向から見た要部正面図である。
【図２】  図１の給紙装置の問題点を説明するための説明図である。
【図３】  本発明の一実施例に係る給紙台固定タイプの給紙装置を示す、図１と同様の要部正面図である。
【図４】  図３の給紙装置の斜視図である。
【図５】  図３の給紙装置に用紙をストックし、給紙ローラで給紙を行う状態を示す要部断面図である。
【図６】  図５の拡大断面図である。
【図７】  本発明の他の実施形態に係る用紙カセットタイプの給紙装置の要部断面図である。
【図８】  図７の拡大図である。
【符号の説明】
１ａ、１ｂ、１ｃ  給紙ローラ
２  回転駆動軸
３  用紙スライド板
４  用紙突き当て規制板
４ａ  上端エッジ
５  用紙突き当てガイド
６  給紙台
６ａ  傾動部
６ｂ  固定部
７  サバキ台
７ａ  摩擦シート
７ｂ  支持台
８  サバキ台設置開口
８ａ  第１開口
８ｂ  第２開口
９  用紙検出スイッチ
１０  補助ガイド片
１０ａ  傾斜ガイド面
１０ｂ  基部面
１１  サイドガイド板
１２  トラニオン軸
Ｓ  用紙
Ｓ1  先端エッジ
２０  用紙カセット
２０ａ  前壁（用紙突き当て規制板）
２０ｂ  前半部
２０ｃ  後半部
２１  フレーム
２２  給紙ローラ
２４  軸
２５  傾斜底板
【図１】
0004163810.tif 000002
【図２】
0004163810.tif 000003
【図３】
0004163810.tif 000004
【図４】
0004163810.tif 000005
【図５】
0004163810.tif 000006
【図６】
0004163810.tif 000007
【図７】
0004163810.tif 000008
【図８】
0004163810.tif 000009